(57)【特許請求の範囲】
【請求項１】
遊技盤面に取着される取付基板に遊技球が通過する球入口を開設し、前記取付基板の前面に前記球入口を挟み該取付基板を正面から見て起立または逆ハの字状に傾倒する一対の可動翼片を軸着し、前記取付基板の後面に前記球入口を囲うようにして箱枠を固着し、前記箱枠内に遊技球の入賞と共に作動して前記可動翼片を起立または逆ハの字状に傾倒させる球誘導部材が配置される可変入賞装置であって、
前記球誘導部材は前記取付基板を正面から見て前後方向に並びかつ該前後方向で自在に上下に回動するように横軸により軸着され互いに連結される分割前部材と分割中部材と分割後部材とからなり、
前記分割中部材に、前記両可動翼片が起立した状態または逆ハの字状に傾倒した状態での前記分割前部材と分割後部材とに接触して該分割前部材と分割後部材とをそれぞれ前記各状態の位置で保持される方向に回動付勢する弾性保持手段を設けたことを特徴とする可変入賞装置。
【請求項２】
遊技盤面に取着される取付基板に遊技球が通過する球入口を開設し、前記取付基板の前面に前記球入口を挟み該取付基板を正面から見て起立または逆ハの字状に傾倒する一対の可動翼片を軸着し、前記取付基板の後面に前記球入口を囲うようにして箱枠を固着し、前記箱枠内に遊技球の入賞と共に作動して前記可動翼片を起立または逆ハの字状に傾倒させる球誘導部材が配置される可変入賞装置であって、
前記球誘導部材は前記取付基板を正面から見て前後方向に並びかつ該前後方向で自在に上下に回動するように横軸により軸着され互いに連結される分割前部材と分割中部材と分割後部材とからなり、
前記分割中部材に、前記両可動翼片が起立した状態または逆ハの字状に傾倒した状態での前記分割前部材と分割後部材とに両自由端が接触して該分割前部材と分割後部材とをそれぞれ前記各状態での位置で保持される方向に回動付勢するネジリコイルバネを取着したことを特徴とする可変入賞装置。
【発明の詳細な説明】
【技術分野】
【０００１】
本発明は、遊技盤面に装着され、起立または逆ハの字状に傾倒して遊技球の入賞する機会を変化させる一対の可動翼片を備えた可変入賞装置に関するものである。
【背景技術】
【０００２】
従来、例えば遊技機の一種であるパチンコ遊技機にあっては、遊技盤面に装着される取付基板の前面に該遊技盤面を流下する遊技球が入賞することにより、一対の可動翼片が起立または逆ハの字状に傾倒して遊技球の入賞する機会を変化させるようにした可変入賞装置が装着されている。該可変入賞装置の構成を更に詳しく説明すると、該可変入賞装置は、遊技盤面に取着される取付基板に遊技球が通過する球入口を開設すると共に該取付基板の前面に該球入口を囲うようにして上面が開放されるポケットカバーを取着し、該ポケットカバー内に前記球入口の両側に位置して一対の可動翼片を軸着している。この一対の可動翼片は、常にその自重で外側へ回動するように付勢されている。また、前記取付基板の後面に前記球入口を囲うようにして箱枠が固着され、該箱枠内に横軸により軸着され前記取付基板を正面から見て前後方向で前端が上下に回動する球誘導部材が配置される。該球誘導部材は、その前端が下方に回動して前記一対の可動翼片の下部間に介入することにより両可動翼片を起立させる。また、その前端を上方に回動させることにより球誘導部材の先端を両可動翼片の下部上面に乗せ、前記一対の可動翼片を自由にして逆ハの字状に傾動させるようにしている（例えば、特許文献１参照。）。
【０００３】
そして、一対の可動翼片が共に起立している状態で、両可動翼片間に遊技球が入賞すると、該遊技球は球入口へ入り球誘導部材の上面を後方へ転動する。これに伴い、球誘導部材の後端が下方へ回動すると共に前端が上方へ回動する。そして、両可動翼片が球誘導部材の前端から開放され、互いに外側へ逆ハの字状に傾動する。逆に、逆ハの字状に傾動した両可動翼片間に遊技球が入賞すると、該遊技球により球誘導部材の前端を下方へ押し下げると共に両可動翼片を起立させる。これにより、起立した両可動翼片の下部が球誘導部材の前端により規制され、その状態を保持する。また、この起立した両可動翼片間に遊技球が入ると、前記と同様な動作を繰り返すことになる。
【先行技術文献】
【特許文献】
【０００４】
【特許文献１】特開平２−１０７２８２号公報（第２−４頁、図１、図２）
【発明の概要】
【発明が解決しようとする課題】
【０００５】
しかしながら、前記特許文献１に係る可変入賞装置にあっては、一対の可動翼片が常にその自重で外側へ回動するように付勢されているばかりか、特にその起立・傾倒動作が横軸により軸支された球誘導部材の前端との係合動作により行なわれる構成である。このため、例えばパチンコ機の前面を前側から叩いて可変入賞装置に外部から衝撃を加えると、一対の可動翼片と共に球誘導部材が踊って係合状態が不安定になる。そこで、例えば両可動翼片が起立している状態で、衝撃により球誘導部材の前端が上方へ跳ね上がると、これに伴い両可動翼片が必要もなく外側へ開いてしまったり、また、両可動翼片が逆ハの字状に傾動している場合に、衝撃により両可動翼片が閉じるように跳ね上がると、球誘導部材の前端が下方へ回動すると同時に両可動翼片がそのまま必要もなく閉じてしまうといった誤動作を起こすことがあった。このように、遊技球が入賞しないにも拘わらず、一対の可動翼片が誤動作を起こしてしまうということは、遊技者に不利益を与えてしまうばかりか不正行為も許すことになり、パチンコホールにとってマイナス要素となるという課題が有った。これは、球誘導部材が一体物として成形されしかも比較的軽く、容易に回動し易い構造になっていることに起因すると思われる。
【０００６】
そこで、本発明は上記課題を解決すべくなされたもので、たとえ外部から衝撃を受けても球誘導部材や一対の可動翼片が誤動作を起こさず、一対の可動翼片が常に正常に動作するようにした可変入賞装置を提供することを目的とするものである。
【課題を解決するための手段】
【０００７】
かかる目的を達成するため本発明の可変入賞装置は、遊技盤面に取着される取付基板に遊技球が通過する球入口を開設し、前記取付基板の前面に前記球入口を挟み該取付基板を正面から見て起立または逆ハの字状に傾倒する一対の可動翼片を軸着し、前記取付基板の後面に前記球入口を囲うようにして箱枠を固着し、前記箱枠内に遊技球の入賞と共に作動して前記可動翼片を起立または逆ハの字状に傾倒させる球誘導部材が配置される可変入賞装置であって、前記球誘導部材は前記取付基板を正面から見て前後方向に並びかつ該前後方向で自在に上下に回動するように横軸により軸着され互いに連結される分割前部材と分割中部材と分割後部材とからなり、前記分割中部材に、前記両可動翼片が起立した状態または逆ハの字状に傾倒した状態での前記分割前部材と分割後部材とに接触して該分割前部材と分割後部材とをそれぞれ前記各状態の位置で保持される方向に回動付勢する弾性保持手段を設けたことを特徴とする。
【０００８】
具体的に本発明に係る可変入賞装置は、遊技盤面に取着される取付基板に遊技球が通過する球入口を開設し、前記取付基板の前面に前記球入口を挟み該取付基板を正面から見て起立または逆ハの字状に傾倒する一対の可動翼片を軸着し、前記取付基板の後面に前記球入口を囲うようにして箱枠を固着し、前記箱枠内に遊技球の入賞と共に作動して前記可動翼片を起立または逆ハの字状に傾倒させる球誘導部材が配置される可変入賞装置であって、前記球誘導部材は前記取付基板を正面から見て前後方向に並びかつ該前後方向で自在に上下に回動するように横軸により軸着され互いに連結される分割前部材と分割中部材と分割後部材とからなり、前記分割中部材に、前記両可動翼片が起立した状態または逆ハの字状に傾倒した状態での前記分割前部材と分割後部材とに両自由端が接触して該分割前部材と分割後部材とをそれぞれ前記各状態の位置で保持される方向に回動付勢するネジリコイルバネを取着した構成が採られる。
【発明の効果】
【０００９】
本発明に係る可変入賞装置は、球誘導部材が取付基板を正面から見て前後方向に並びかつ該前後方向で自在に上下に回動するように横軸により軸着され互いに連結される分割前部材と分割中部材と分割後部材とからなり、分割中部材に、両可動翼片が起立した状態または逆ハの字状に傾倒した状態での分割前部材と分割後部材とに接触して該分割前部材と分割後部材とをそれぞれ前記各状態の位置で保持される方向に回動付勢する弾性保持手段を設けた構成からなる。このように、球誘導部材を三部材により構成すると共にそれぞれ軸着して連結し、また、分割中部材に設けた弾性保持手段により分割前部材と共に分割後部材を回動付勢しているので、たとえ可変入賞装置に外部から衝撃を受けても、三分割された球誘導部材では力が分散されその伝播がうまく行なわれず、しかも、弾性保持手段の回動付勢により両可動翼片を起立させた状態または逆ハの字状に傾倒した状態が保持されることになる。よって、外部からの衝撃により球誘導部材や一対の可動翼片が誤動作を起こすことがなく、一対の可動翼片が常に正常に動作し、パチンコホールにとって遊技者へのサービス向上に繋がるとともに不正行為防止にも役立つという有益な効果を奏する。
【図面の簡単な説明】
【００１０】
【図１】本発明に係る可変入賞装置の斜視図。
【図２】同正面図。
【図３】同平面図。
【図４】同側面図。
【図５】図３のＸ−Ｘ線断面図。
【図６】一対の可動翼片が閉じた状態の可変入賞装置の側面断面図。
【図７】一対の可動翼片が開いた状態の可変入賞装置の側面断面図。
【図８】球誘導部材の斜視図。
【図９】同分解斜視図。
【発明を実施するための形態】
【００１１】
以下、本発明に係る可変入賞装置の最良の実施の形態を図面に基づき詳しく説明する。本発明に係る可変入賞装置は、パチンコ機、アレパチ機、雀球遊技機等の遊技機に適用される。この内、パチンコ機に適用される場合について説明する。図１は本発明に係る可変入賞装置の斜視図、図２は同正面図、図３は同平面図、図４は同側面図、図５は図３のＸ―Ｘ線断面図である。
【００１２】
まず、本発明に係る可変入賞装置Ａは、後記する球誘導部材１１の後部に上方から遊技球としてのパチンコ球が入賞して落下することにより球誘導部材１１を作動させ、後記する一対の可動翼片６ａ，６ｂを両側へ開きパチンコ球が入賞し易い状態とし、該開いた両可動翼片６ａ，６ｂ間にパチンコ球が入賞すると両可動翼片６ａ，６ｂを閉じるようにしたタイプのものである。よって、球誘導部材１１の上面をパチンコ球が転動することはない。可変入賞装置Ａは、パチンコ機（図示せず。）の遊技盤面に取り付けられる取付基板１を有し、該取付基板１の中央にパチンコ球が通過し得る縦長の球入口２が開設される。また、取付基板１の一側すなわち該取付基板１を正面から見て右肩上部に、前方へ突出する球受板３が設けられている。該球受板３は、後記するように球入口２へ流入するパチンコ球の球詰まりを防止するためのものである。また、球入口２の上縁に該球入口２の上部からパチンコ球が入るのを防ぐ邪魔棒１ａが垂設されている。
【００１３】
前記取付基板１の前面には、前記球入口２の前方と両側方と下方を囲い上方が開放されるポケットカバー４が取り付けられている。該ポケットカバー４であって周囲より高く形成された前板４ａの後面上部に、球入口２の両側面と対向位置して後方へ水平に延設される支持軸５，５が設けられ、両支持軸５，５に一対の可動翼片６ａ，６ｂが軸支される。各可動翼片６ａ，６ｂは、後端面が開放する中空状に形成されると共に常に自重で外側へ回動するように付勢されている。そして、球誘導部材１１の前端が下方へ回動することにより、両可動翼片６ａ，６ｂを起立させると共にその下部間に介在して外側への回動動作を規制し、パチンコ球が入賞し難い起立状態、または、球誘導部材１１の前端の上方への回動動作に伴い自由となってパチンコ球が入賞し易い逆ハの字状に傾動した状態とに変換できるようになっている。各可動翼片６ａ，６ｂは、外側へ傾倒したとき共にポケットカバー４の側壁上端に設けられた止板７，７に当接して停止するようになっている。ポケットカバー４の内底面は後方へ下傾し、その後端が球入口２を挟んで後記する排出樋３０に連通している。
【００１４】
前記両可動翼片６ａ，６ｂの内、取付基板１を正面から見て右側の可動翼片６ｂは、前記球受板３に対応位置して後端縁が切り欠かれて凹窪部８が形成されている。これにより、可動翼片６ｂが支障なく起立または傾動できるようになっている。仮に、両可動翼片６ａ，６ｂが左右対称型に成形されかつ前記球受板３や邪魔棒１ａがないとし、逆ハの字状に傾動して開いた可動翼片６ａ，６ｂの上面に二個のパチンコ球が乗り、これらが球入口２へ同時に流入しようとした場合、二個のパチンコ球が互いにぶつかり合って両可動翼片６ａ，６ｂの上面で静止してしまい、球詰まりを起こす危険性がある。そこで、前記のように取付基板１の右肩上部に球入口２に近接させて球受板３を設け、前記二個のパチンコ球の内、一方のパチンコ球を該球受板３の上面に乗せることにより、可動翼片６ｂの上面に達する時間を他方のパチンコ球が可動翼片６ａの上面に達する時間よりも遅らせている。これにより、パチンコ球が球入口２へ順序良く流入することになり、球入口２での球詰まりが解消される。ちなみに、前記球受板３は対応する可動翼片６ｂの影となって正面からでは見えない。
【００１５】
前記取付基板１の後面には、球入口２を囲うようにして箱枠９が固着される。該箱枠９は、その後部一側にパチンコ球が通過し得る切欠開口１０が開設され、また、下面は開放している。そして、該箱枠９内に、パチンコ球の入賞と共に作動して前記両可動翼片６ａ，６ｂを起立させる球誘導部材１１が配置される。該球誘導部材１１は、図６、図７に示すように前記取付基板１を正面から見て前後方向に沿って前端に位置する分割前部材１１ａと、中間に位置する分割中部材１１ｂと、後端に位置する分割後部材１１ｃと、の三部材からなっている。分割前・中・後部材１１ａ，１１ｂ，１１ｃは、いずれも箱枠９の両側壁９ａ，９ａ間に横架される横軸１２ａ，１２ｂ，１２ｃにより軸着され、前記前後方向で前端が上下に回動するようになっている。前記分割前部材１１ａの横軸１２ａと分割中部材１１ｂの横軸１２ｂと分割後部材１１ｃの横軸１２ｃとは、それら高さが前側から後側へ進むに従い順に低くなるように配置される。
【００１６】
三部材に分割される前記球誘導部材１１を図８及び図９に基づき更に詳しく説明すると、分割前部材１１ａは、横軸１２ａが挿通される軸筒部１３の外周面の一側すなわち取付基板１側である前側に、前端が横方向に二股に分かれる二股状部１４が形成され、これら前端が両可動翼片６ａ，６ｂの下部間に介入したり、そこから脱っしたりする。この二股状部１４間の寸法は、パチンコ球が通過できる範囲で設定される。また、その下方に、軸筒部１３の外周面から前方へ直交状に伸びかつ二股状部１４の中間に位置する作用杆１５が配置される。二股状部１４間を流下したパチンコ球は、作用杆１５をその上面から自重で下方へ押動して分割前部材１１ａを横軸１２ａを中心として前側へ回動させることになる。更に、軸筒部１３の外周面の他側すなわち箱枠９の後部側に、後方へ突出する腕片１６が設けられ、該腕片１６の先端に前記軸筒部１３の中心軸と平行な連結軸１７が一体に設けられる。該連結軸１７の両端間の寸法は、腕片１６の幅よりも長く設定されている。
【００１７】
分割中部材１１ｂは、側面長円形状の平行な一対の長円リング部１８ａ，１８ａを備え、両長円リング部１８ａ，１８ａ間であってそれら中央に断面四角柱状の軸筒部１９が一体に設けられる。よって、軸筒部１９の中心軸線と両長円リング部１８ａ，１８ａは互いに直交することになる。この両長円リング部１８ａ，１８ａの長円孔２０ａ，２０ａの前端部に、前記分割前部材１１ａの連結軸１７が遊嵌される。また、軸筒部１９の上面一側に上方へ突出する支持杆２１が設けられ、該支持杆２１の上端一側に該支持杆２１に直交しかつ軸方向へスリット２２を設けた短杆２１ａが突設されている。そして、該短杆２１ａに弾性保持手段であるネジリコイルバネ２３が取り付けられる。該ネジリコイルバネ２３は、前記短杆２１ａに嵌る巻回部２３ａと該巻回部２３ａから伸びる直線的な一対の自由端２３ｂ，２３ｃとからなる。これらネジリコイルバネ２３の自由端２３ｂ，２３ｃは、それぞれ軸筒部１９を挟んだ前後両側で両長円リング部１８ａ，１８ａ間に介在する。
【００１８】
分割後部材１１ｃは、横軸１２ｃが挿通される軸筒部２４の外周面の一側すなわち取付基板１側である前側に、前方へ突出する腕片２５が形成され、該腕片２５の前端に連結軸２６が一体に設けられる。該連結軸２６の両端間の寸法は、腕片２５の幅よりも長く設定されている。そして、該連結軸２６が前記分割中部材１１ｂの両長円リング部１８ａ，１８ａにおける長円孔２０ａ，２０ａの後端部に遊嵌される。軸筒部２４の外周面の他側すなわち箱枠９の後部側に、後方へ延びかつ上方から落下するパチンコ球を受け止め側方へ排出する案内板２７が設けられる。該案内板２７の一側縁すなわち前記箱枠９の切欠開口１０とは反対側と該案内板２７の後端縁とに、上方へ突出し案内板２７の上面を転動するパチンコ球がそれらの縁から下方へ落ちないように止めるガード片２８が形成される。これにより、案内板２７の上面に落下したパチンコ球は、ガード片２８のない一側縁から切欠開口１０を介して外部に排出される。２９は案内板２７の一側から外方へ突出させた連杆であり、例えば外部から分割後部材１１ｃを強制的に作動させる場合に使用されるものである。
【００１９】
前記取付基板１の後面であって箱枠９の下方に、前端が前記ポケットカバー４の内底面の後端と連通し、後端が開放される樋状の排出樋３０が配置される。該排出樋３０も底面が後方へ向かって下傾しており、前記ポケットカバー４の下部から排出されるパチンコ球を導き後方へ排出することになる。３３は前記箱枠９の後側下部に両側壁９ａ，９ａ間に差し渡されるようにして設けられる停止板であって、分割後部材１１ｃが後方へ回動したとき、その下面が該停止板３３の上面に当接することで分割後部材１１ｃが停止するようになっている。
【００２０】
このように構成される球誘導部材１１は、分割前部材１１ａの後端を分割中部材１１ｂの前端に軸着し、分割中部材１１ｂの後端に分割後部材１１ｃの前端を軸着した状態で、これら分割前・中・後部材１１ａ，１１ｂ，１１ｃの軸筒部１３，１９，２４にそれぞれ横軸１２ａ，１２ｂ，１２ｃを挿通する。これら横軸１２ａ，１２ｂ，１２ｃは、図３に示すように箱枠９の両側壁９ａ，９ａに開設された軸承孔３１，３１に挿通され、先端にＥリング３２を嵌めて固定される。
【００２１】
同時に、前記分割中部材１１ｂにおける短杆２１ａに取り付けたネジリコイルバネ２３の一方の自由端２３ｂが、分割前部材１１ａの後端の連結軸１７と分割中部材１１ｂの軸筒部１９との間に位置し、しかも、前記連結軸１７に接触しかつ該連結軸１７を該連結軸１７が分割中部材１１ｂの横軸１２ｂから遠ざかるように回動付勢している。また、前記分割中部材１１ｂにおける短杆２１ａに取り付けたネジリコイルバネ２３の他方の自由端２３ｃは、分割後部材１１ｃの前端の連結軸２６と分割中部材１１ｂの軸筒部１９との間に位置し、しかも、前記連結軸２６に接触しかつ該連結軸２６を該連結軸２６が分割中部材１１ｂの横軸１２ｂから遠ざかるように回動付勢している。これら両連結軸１７，２６を付勢するバネ力は、パチンコ球が入賞することにより球誘導部材１１が動作し得る範囲内で設定される。これにより、箱枠９内に三部材からなる球誘導部材１１が配置される。
【００２２】
球誘導部材１１の内の分割前部材１１ａは、前端が下方へ回動して前側が下傾したとき、その前端の二股状部１４が両可動翼片６ａ，６ｂの下部間に介入して両可動翼片６ａ，６ｂを起立させ、その状態を維持させる。一方、分割前部材１１ａの前端が上方へ回動したとき、その前端の二股状部１４が上動すると共に両可動翼片６ａ，６ｂが自由となり、その自重で外側へ傾倒して取付基板１を正面から見て逆ハの字状に開く。またこのとき、分割前部材１１ａの作用杆１５は両可動翼片６ａ，６ｂ間の下方に位置する。
【００２３】
本発明に係る可変入賞装置Ａは上記構成からなり、次にその作用を説明する。図５鎖線及び図６に示すように両可動翼片６ａ，６ｂが起立して閉じた状態では、球誘導部材１１における分割前部材１１ａの前端が下方へ回動して前側へ下傾し、先端の二股状部１４が両可動翼片６ａ，６ｂの下部間に介入している。このとき、分割中部材１１ｂは後側へ下傾すると共に分割後部材１１ｃは前側へ回動してほぼ水平に位置している。また、ネジリコイルバネ２３の一方の自由端２３ｂにより、分割前部材１１ａにおける連結軸１７を該連結軸１７が分割中部材１１ｂの横軸１２ｂから離れる方向へ回動付勢して分割前部材１１ａを前側へ回動させた状態で保持している。同様に、ネジリコイルバネ２３の他方の自由端２３ｃにより、分割後部材１１ｃにおける連結軸２６を該連結軸２６が分割中部材１１ｂの横軸１２ｂから離れる方向へ回動付勢して分割後部材１１ｃを前側へ回動させた状態で保持している。
【００２４】
この状態で、図６に示すように球誘導部材１１の後部すなわち分割後部材１１ｃ上面にその上方からパチンコ球Ｂ１が入賞して落下すると、分割後部材１１ｃの後端がネジリコイルバネ２３の付勢に抗して下方へ回動すると共に後側へ下傾する。これに伴い、分割中部材１１ｂは前側へ下傾すると共に分割前部材１１ａはネジリコイルバネ２３の付勢に抗して前端が上方へ回動する。これにより、図５実線及び図７に示すように両可動翼片６ａ，６ｂは自由になって外側へ逆ハの字状に傾動して開く。ちなみに、前記分割後部材１１ｃの案内板２７の上面に落下したパチンコ球Ｂ１は、切欠開口１０を介して外部へ排出される。
【００２５】
次に、図７に示すように両可動翼片６ａ，６ｂが逆ハの字状に開いた状態で、両可動翼片６ａ，６ｂ間にパチンコ球Ｂ２が入賞すると、該パチンコ球Ｂ２は分割前部材１１ａにおける作用杆１５を自重でその上面から下方へ押し下げつつ流下し、ポケットカバー４の下部から排出樋３０に流下して外部へ排出される。これに伴い、分割前部材１１ａの後端がネジリコイルバネ２３の付勢に抗して上方へ回動し、分割中部材１１ｂは後側へ下傾すると共に分割後部材１１ｃはネジリコイルバネ２３の付勢に抗して前端が下方へ回動して案内板２７が上方へ回動する。これにより、球誘導部材１１が図６に示す位置に戻り、両可動翼片６ａ，６ｂが起立する。
【００２６】
図６、図７に示すような両可動翼片６ａ，６ｂが起立または逆ハの字状に傾動した状態にあっては、ネジリコイルバネ２３の自由端２３ｂ，２３ｃにより連結軸１７，２６が回動付勢されその状態での互いの位置で保持される。これにより、ネジリコイルバネ２３における自由端２３ｂ，２３ｃの付勢に抗して分割前部材１１ａや分割後部材１１ｃの前記保持される方向とは逆方向への回動動作が抑制されてほとんど動きが取れない状態となり、分割前部材１１ａや分割後部材１１ｃが必要もなく勝手に回動することがない。よって、前記両可動翼片６ａ，６ｂが起立した状態または逆ハの字状に傾倒した状態で外部から衝撃を受けても、球誘導部材１１は三分割され互いに軸着されているので、力が分散されその伝播がうまく行なわれない。しかも、ネジリコイルバネ２３によって分割前部材１１ａと分割後部材１１ｃとは互いに前記両可動翼片６ａ，６ｂが起立した状態または逆ハの字状に傾倒した状態での位置で保持される方向に回動付勢されているので、各分割前・中・後部材１１ａ，１１ｂ，１１ｃのその動作が抑制され、必要もなく勝手に回動することがない。その結果、球誘導部材１１の誤動作が防止される。
【００２７】
このように本発明にあっては、球誘導部材１１を三部材により構成すると共にそれぞれ軸着して連結し、また、分割中部材１１ｂに取着したネジリコイルバネにより分割前部材１１ａと共に分割後部材１１ｃとを回動付勢しているので、たとえ可変入賞装置Ａに外部から衝撃を受けても、三分割された球誘導部材１１では力が分散されその伝播がうまく行なわれない。しかも、ネジリコイルバネ２３の回動付勢により両可動翼片６ａ，６ｂを起立させた状態または逆ハの字状に傾倒した状態が保持される。よって、球誘導部材１１や一対の可動翼片６ａ，６ｂが誤動作を起こすことがなく、一対の可動翼片６ａ，６ｂが常に正常に動作することになる。
【００２８】
なお、本発明で説明した弾性保持手段としてのネジリコイルバネ２３は一つの実施の形態であって、本発明の目的を達成できるものであれば、他の構造であっても良いことは勿論である。
【符号の説明】
【００２９】
１              取付基板
２              球入口
６ａ            可動翼片
６ｂ            可動翼片
９              箱枠
１１            球誘導部材
１１ａ          分割前部材
１１ｂ          分割中部材
１１ｃ          分割後部材
１２ａ          横軸
１２ｂ          横軸
１２ｃ          横軸
２３            弾性保持手段（ネジリコイルバネ）
２３ａ          自由端
２３ｂ          自由端
Ａ              可変入賞装置
Ｂ１            パチンコ球
Ｂ２            パチンコ球
【図１】
0005481213.tif 000002
【図２】
0005481213.tif 000003
【図３】
0005481213.tif 000004
【図４】
0005481213.tif 000005
【図５】
0005481213.tif 000006
【図６】
0005481213.tif 000007
【図７】
0005481213.tif 000008
【図８】
0005481213.tif 000009
【図９】
0005481213.tif 000010